(57)【要約】【課題】携帯通信端末装置において、所在地に応じた報知手段の個別着信動作を、細やかで柔軟に、かつ、自動で設定変更する。【解決手段】携帯通信端末装置１０は、場所に対応して着信音、バイブレーション等の報知手段の着信時動作を個別に設定した設定テーブル１０６を有している。位置情報取得部１０７により現在位置情報が取得され、地図情報１０５と照合されて、携帯通信端末装置１０が存在する場所が特定される。設定テーブル１０６から、特定された場所に対応する報知手段の着信時動作を読み出して設定される。【選択図】      図１
2008206017.tif 000002
【特許請求の範囲】
【請求項１】
着信時に報知手段による報知を行う携帯通信端末装置において、
場所に対応して前記報知手段の着信時動作を個別に設定した設定テーブルを記憶したメモリ部と、
現在位置情報を取得する位置情報取得手段と、
前記現在位置情報に基づいて地図情報を取得する地図情報取得手段と、
前記現在位置情報と前記地図情報とを照合して、前記携帯通信端末装置が存在する場所を特定し、特定された場所に対応する前記報知手段の着信時動作を前記設定テーブルから読み出して設定する制御手段と、
を備えたことを特徴とする携帯通信端末装置。
【請求項２】
前記報知手段は、表示部の点灯動作を含むことを特徴とする請求項１記載の携帯通信端末装置。
【請求項３】
前記報知手段は、音声読み上げ動作を含むことを特徴とする請求項１記載の携帯通信端末装置。
【請求項４】
前記位置情報取得手段は、ＧＰＳ機能により現在位置情報を取得することを特徴とする請求項１乃至３の何れか１つに記載の携帯通信端末装置。
【請求項５】
前記制御部は、取得された現在位置情報及び特定された場所の情報を履歴として前記メモリ部に蓄積し、それらの履歴に基づく移動速度と現在位置の変化も判断して、現在の場所を特定することを特徴とする請求項１乃至４の何れか１つに記載の携帯通信端末装置。
【請求項６】
現在の場所が屋外で徒歩移動中と特定された場合に、全ての報知手段を有効に設定し、かつ、着信音量を最大に設定することを特徴とする請求項１乃至５の何れか１つに記載の携帯通信端末装置。
【請求項７】
着信時に報知手段による報知を行う携帯通信端末装置の着信動作設定方法において、
現在位置情報を取得し、
前記現在位置情報に基づいて地図情報を取得し、
前記現在位置情報と前記地図情報とを照合して、前記携帯通信端末装置が存在する場所を特定し、
場所に対応して前記報知手段の着信時動作を個別に設定した設定テーブルを参照して、前記特定された場所に対応する前記報知手段の着信時動作を読み出して設定する、
ことを特徴とする携帯通信端末装置の着信動作設定方法。
【請求項８】
前記報知は、表示部の点灯動作を含むことを特徴とする請求項７記載の携帯通信端末装置の着信動作設定方法。
【請求項９】
前記報知は、音声読み上げ動作を含むことを特徴とする請求項７記載の携帯通信端末装置の着信動作設定方法。
【請求項１０】
ＧＰＳ機能により前記現在位置情報を取得することを特徴とする請求項７乃至９の何れか１つに記載の携帯通信端末装置の着信動作設定方法。
【請求項１１】
取得された現在位置情報及び特定された場所の情報を履歴としてメモリ部に蓄積し、それらの履歴に基づく移動速度と現在位置の変化も判断して、現在の場所を特定することを特徴とする請求項７乃至１０の何れか１つに記載の携帯通信端末装置の着信動作設定方法。
【請求項１２】
現在の場所が屋外で徒歩移動中と特定された場合に、全ての報知手段を有効に設定し、かつ、着信音量を最大に設定することを特徴とする請求項７乃至１１の何れか１つに記載の携帯通信端末装置の着信動作設定方法。
【発明の詳細な説明】
【技術分野】
【０００１】
本発明は、携帯通信端末装置、及び、携帯通信端末装置の着信動作設定方法に関する。
【背景技術】
【０００２】
携帯電話機に代表される携帯通信端末装置のユーザにとって、その使用に関するマナーを守ることが社会生活者として必要とされる。例えば、電車や劇場の中ではマナーモードにする、自動車運転中はハンズフリーでない限りドライブモード（公共モード）にする等がある。しかしながら、人間である限りうっかりミス（失念）も有り得る。又、その設定を逐一変更することが面倒なため、意図的に変更しないユーザもいる。
【０００３】
又、劇場などでは背面液晶のバックライトですら漏れると目立つ場合があるが、そこまでカバーして設定できるモードはない。逆に、普段は静かな場所に居ることが多いために着信音量を下げていたり、バイブレーションを忌避してオフにするユーザもいるが、騒然とした繁華街や雑踏内などでは、そのままでは着信に気づかない場合もある。しかしながら、そのような移動の度に着信音量を上げたりバイブレーションをオンにわざわざするような操作を通常は行わない。そのような設定変更の煩雑さから解放してくれる機能や手段が、携帯通信端末装置の使い勝手向上の為に望まれている。
【０００４】
特開２００６−２２９３７８号公報（特許文献１）には、基地局からの情報により所在範囲を識別し、それにより着信音や待受画像等を含む内部設定情報の設定変更を可能とした携帯通信端末が開示されている。更に、特開２００５−２７８１１７号公報（特許文献２）には、ＧＰＳにより無線通信端末の位置を測定し、移動速度を計算して動作モードを切り替える技術が開示されている。
【０００５】
【特許文献１】特開２００６−２２９３７８号公報
【特許文献２】特開２００５−２７８１１７号公報
【発明の開示】
【発明が解決しようとする課題】
【０００６】
特許文献１記載の携帯通信端末装置では、大まかな範囲での識別しか出来ない。よって、所在地によって細やかで柔軟な着信動作設定を行うことは不可能である。例えば、電車や劇場の中ではマナーモードにする、車運転中はハンズフリーでない限りドライブモード（公共モード）にする、屋外の繁華街など雑踏では、逆に気付きやすいように着信音音量を上げたりバイブレーションをオンにする等、細やかで柔軟な設定が可能であることが好ましい。又、特許文献２記載の無線通信端末においては、単に移動速度に基づいて動作モードを設定しており、特許文献１と同様に、細やかで柔軟な着信動作設定は不可能である。例えば、特許文献２の技術では、自動車で移動する場合に、運転手でない同乗者であっても、運転手の場合と同様の動作モードとなるのでユーザにとっては不便となる。
【０００７】
本発明の目的は、上述した課題を解決する携帯通信端末装置、及び、携帯通信端末装置の着信動作設定方法を提供することにある。
【課題を解決するための手段】
【０００８】
本発明は、着信時に報知手段による報知を行う携帯通信端末装置において、場所に対応して前記報知手段の着信時動作を個別に設定した設定テーブルを記憶したメモリ部と、現在位置情報を取得する位置情報取得手段と、前記現在位置情報に基づいて地図情報を取得する地図情報取得手段と、前記現在位置情報と前記地図情報とを照合して、前記携帯通信端末装置が存在する場所を特定し、特定された場所に対応する前記報知手段の着信時動作を前記設定テーブルから読み出して設定する制御手段と、を備えたことを特徴とする。
【０００９】
又、本発明の携帯通信端末装置において、前記報知手段は、表示部の点灯動作を含んでも良い。
【００１０】
又、本発明の携帯通信端末装置において、前記報知手段は、音声読み上げ動作を含んでも良い。
【００１１】
又、本発明の携帯通信端末装置において、前記位置情報取得手段は、ＧＰＳ機能により現在位置情報を取得しても良い。
【００１２】
又、本発明の携帯通信端末装置において、前記制御部は、取得された現在位置情報及び特定された場所の情報を履歴として前記メモリ部に蓄積し、それらの履歴に基づく移動速度と現在位置の変化も判断して、現在の場所を特定するようにしても良い。
【００１３】
又、本発明の携帯通信端末装置において、現在の場所が屋外で徒歩移動中と特定された場合に、全ての報知手段を有効に設定し、かつ、着信音量を最大に設定するようにしても良い。
【００１４】
本発明は、着信時に報知手段による報知を行う携帯通信端末装置の着信動作設定方法において、現在位置情報を取得し、前記現在位置情報に基づいて地図情報を取得し、前記現在位置情報と前記地図情報とを照合して、前記携帯通信端末装置が存在する場所を特定し、場所に対応して前記報知手段の着信時動作を個別に設定した設定テーブルを参照して、前記特定された場所に対応する前記報知手段の着信時動作を読み出して設定する、ことを特徴とする。
【００１５】
又、本発明の携帯通信端末装置の着信動作設定方法において、前記報知は、表示部の点灯動作を含んでも良い。
【００１６】
又、本発明の携帯通信端末装置の着信動作設定方法において、前記報知は、音声読み上げ動作を含んでも良い。
【００１７】
又、本発明の携帯通信端末装置の着信動作設定方法において、ＧＰＳ機能により前記現在位置情報を取得しても良い。
【００１８】
又、本発明の携帯通信端末装置の着信動作設定方法において、取得された現在位置情報及び特定された場所の情報を履歴としてメモリ部に蓄積し、それらの履歴に基づく移動速度と現在位置の変化も判断して、現在の場所を特定するようにしても良い。
【００１９】
又、本発明の携帯通信端末装置の着信動作設定方法において、現在の場所が屋外で徒歩移動中と特定された場合に、全ての報知手段を有効に設定し、かつ、着信音量を最大に設定するようにしても良い。
【発明の効果】
【００２０】
本発明は、携帯通信末装置の所在地によって細やかで柔軟な着信動作設定を行うことが可能となるという効果を有している。その理由は、想定される場所に対応して報知手段の着信動作を予め個別に設定しておき、現在位置情報と地図情報とを照合して現在の場所を特定し、その特定された場所の着信動作を自動設定変更するからである。
【発明を実施するための最良の形態】
【００２１】
次に、本発明を実施するための最良の形態について図面を参照して詳細に説明する。図１は、本発明の一実施形態の構成を示す機能ブロック図である。
【００２２】
図１を参照すると、本発明の一実施形態は、携帯通信端末装置１０と、基地局側サービスセンター２０とを含んでいる。携帯通信端末装置１０と基地局側サービスセンター２０とは、無線回線により通信が可能である。
【００２３】
携帯通信端末装置１０は、キー入力部１０１と、プロセッサ１０２と、プログラムメモリ１０３と、データメモリ１０４と、位置情報取得部１０７と、回線接続部１０８と、表示部１０９と、スピーカ１１０と、バイブレータ１１１とを備えている。
【００２４】
キー入力部１０１は、ユーザがこの携帯通信端末装置１０を操作したり、必要なデータを入力する為の入力手段である。プロセッサ１０２は、プログラムメモリ１０３に格納されているソフトウェアと、データメモリ１０４に格納されている各種データとに基づいて、この携帯通信端末装置１０の各部を制御する制御手段である。プログラムメモリ１０３は、本発明の機能を実現するソフトウェア及び装置を制御するために必要な全ての処理を含むソフトウェアを格納している。
【００２５】
データメモリ１０４は、ソフトウェアが動作するのに必要な各種データ、情報を保持する読出／書込可能なメモリ部である。データメモリ１０４は、地図情報１０５と設定テーブル１０６とを含んでいる。地図情報１０５は、ネットワークを介して基地局側サービスセンター２０から提供された地図情報を格納している。設定テーブル１０６は、この携帯通信端末装置１０における着信報知手段、即ち、着信音やバイブレーション機能等の着信時の動作を設定する為のテーブルである。位置情報取得部１０７は、例えば、公知のＧＰＳ機能により、携帯通信端末装置１０の現在位置情報を取得する位置情報取得手段である。
【００２６】
回線接続部１０８は、無線回線によりネットワークに接続し、通話機能、メール送受信機能、インターネット接続機能を実現する。詳細は後述するが、回線接続部１０８は、現在位置情報に基づいて地図情報を取得する地図情報取得手段として機能する。表示部１０９は、各種情報や画像等を携帯通信端末装置１０のユーザに表示する為のディスプレイである。携帯通信端末装置１０が折り畳み構造の場合、表示部１０９には、折り畳みの内側に設けられたメインディスプレイと、外表面に設けられたサブディスプレイとが含まれる。スピーカ１１０は、着信時にその旨をユーザに知らせる為の着信音を発生する。バイブレータ１１１は、着信時にその旨をユーザに知らせる為のバイブレーションを発生する。着信を報知する報知手段としてのハードウェアは、表示部１０９、スピーカ１１０、バイブレータ１１１が含まれる。
【００２７】
携帯通信端末装置１０と無線のインターネット回線で結ばれる基地局側サービスセンター２０は、全ての地図情報をマスター地図情報２０１として保持している。基地局側サービスセンター２０は、携帯通信端末装置１０からの要求に応じて、指定エリアの周辺地図情報をマスター地図情報２０１から取り出し、インターネット回線経由で提供する。
【００２８】
本発明において、プログラムメモリ１０３に含まれる本発明を実現する為の処理ソフトウェアの部分を除き、それ以外のプログラム及び各部や部品は既知の技術で構成できる。
【００２９】
図２は、本発明の一実施形態における設定テーブル１０６の一例を示す図である。図２を参照すると、設定テーブル１０６は、場所設定情報１０６１と、着信音設定情報１０６２と、バイブレーション設定情報１０６３と、背面液晶設定情報１０６４と、音声読み上げ設定情報１０６５とを有している。
【００３０】
場所設定情報１０６１は、携帯通信端末装置１０の現在地により、着信時の各種機能をどのような動作モードに自動設定するかを示す為の情報である。携帯通信端末装置１０の想定される所在地や移動先毎に「場所」が登録される。この場所設定情報１０６１は、位置情報取得装置１０７が取得した位置情報と地図情報１０５との照合で特定した携帯通信端末装置１０の現在地と比較される。着信音設定情報１０６２では、着信音量が定義される。バイブレーション設定情報１０６３では、振動通知のオン／オフが定義される。背面液晶設定情報１０６４では、背面液晶（サブディスプレイ）点灯のオン／オフが定義される。音声読み上げ設定情報１０６５では、着信時の音声読み上げ機能のオン／オフが定義される。この音声読み上げ機能には、例えば、発呼者の登録名（電話帳登録有りの場合）や電話番号（電話帳登録無しの場合）の音声報知機能や、メール着信時のメール文章読み上げ機能等が含まれる。
【００３１】
図２の例では、場所設定情報１０６１として、「電車」、「道路／車」、「道路（屋外）／徒歩」、「劇場／ホール」等が設定されている。「電車」は、電車に乗車中の設定状態で、いわゆるマナーモード相当の状態にされ、着信音はオフに、バイブレーションはオンに、背面液晶はオンに、音声読み上げはオフに、各々設定される。尚、この実施形態においては、公知のマナーモードや公共モード（ドライブモード）に近い設定が可能であるが、背面液晶や音声読み上げ機能の制御等、これらのモードでは通常制御出来ない範囲まで、きめ細やかに設定することが可能である。
【００３２】
「道路／車」は、道路上を自動車で移動中であることを検出した時の設定である。ここでは、携帯通信端末装置１０のユーザが運転手の時の設定例を示し、着信音はオフに、バイブレーションはオフに、背面液晶はオフに、音声読み上げはオフに、各々設定され、いわゆる公共モード（ドライブモード）相当の設定が成される。尚、携帯通信端末装置１０においてハンズフリー通話が可能な状態にセットされている場合は、この「道路／車」の設定動作は無効とされる。又、運転免許を持たないユーザの場合は、常に同乗者であるので、この設定を同乗者用の内容にしておくことも可能である。例えば、着信音はオンに、バイブレーションはオンに、背面液晶はオンに、音声読み上げはオフに、各々設定される。
【００３３】
「道路（屋外）／徒歩」は、屋外を徒歩で移動中であることが検出された時の設定を示す。この設定では、着信音はオンで音量最大に、バイブレーションはオンに、背面液晶はオンに、音声読み上げはオンに、各々設定される。屋外の移動中では騒音が大きいと想定し、騒音下でも着信に気づきやすい設定が成される。
【００３４】
「劇場／ホール」は、屋内の劇場、ホール、映画館等にいることが検出された場合の設定である。この設定では、着信音はオフに、バイブレーションはオフに、背面液晶はオフに、音声読み上げはオフに、各々設定され、いわゆる公共モード（ドライブモード）相当の設定が成される。
【００３５】
以上のような設定内容は、携帯通信端末装置１０のユーザが、キー入力部１０１の操作で任意に設定、変更出来る。又、ユーザ独自に場所及び設定グループの追加登録も可能である。又、基本的な設定グループ（例えば、図２に示したもの）は、携帯通信端末装置１０の製造、販売時にデフォルトとして予め登録されていれば、ユーザは購入時に直ちに使用することが出来る。
【００３６】
次に、本発明を実施するための最良の形態の動作について図面を参照して説明する。図３は、本発明の一実施形態における動作モード設定動作を説明するフローチャートである。図４は、本発明の一実施形態における着信時の動作を説明するフローチャートである。最初に、現在位置情報から場所特定を行い、設定テーブル１０６内の指定を行なうまでを図３のフローチャートにて説明する。このフローは位置情報が更新される度に随時行なわれる。
【００３７】
図１の位置情報取得部１０７は、携帯通信端末装置１０の現在の位置情報を取得する（図３のステップＳ３０１）。次に、回線接続部１０８を用いて基地局側サービスセンター２０にインターネット接続を行い、取得している現在位置情報を基地局側サービスセンター２０センターに渡して、その周辺地図情報を要求し、マスター地図情報２０１から、周辺地図情報を取得する（ステップ３０２）。取得した周辺地図情報は、データメモリ１０４内に地図情報１０５として格納される。
【００３８】
次に、現在位置情報と周辺地図情報を照合し、現在いる場所（車で走行中、電車に乗車中、劇場やコンサートホールの中、繁華街などの路上、等）の特定を行なう（ステップＳ３０３）。そして、特定した場所と図２の設定テーブル１０６の場所設定情報１０６１と比較を行い、設定テーブル１０６内に一致する場所データがあるか検索する。一致した場合は、一致したグループ（図２での行単位）にある設定情報、即ち、着信音、バイブレーション、背面液晶、音声読み上げの各設定情報を取り出し、着信時にはその設定情報を用いるようにする（ステップＳ３０４）。
【００３９】
尚、同じ場所（例えば道路上）でも、自動車か地下鉄か徒歩かの判断は次のように判定する。取得された現在位置情報、及び、特定された場所の情報は、その履歴がデータメモリ１０４に蓄積されていく。プロセッサ１０２は、それらの履歴を読み出し、一定時間の現在位置情報の変化を測定して、移動速度を検出する。更に、場所の移動履歴との複合された情報によって場所を特定する。例えば、常に移動速度が徒歩レベルであれば徒歩とする。又、駅の位置で常に停止し、駅間は速い速度で移動していれば電車（地下鉄）とする。又、徒歩を超える速度で移動しつつも交差点や信号機の位置で停止する、交差点を曲がる、線路から外れる、Ｕターンする等、自動車特有の動きが検知されれば自動車と判定する。
【００４０】
次に、着信があった時の動作について、図４のフローチャートにて説明する。このフローは、随時動作して着信を監視している。ステップＳ４０１では、回線接続部１０８において、着信があるか否かを常に監視している。着信があった場合には、図３に示した動作で設定テーブル１０６内の場所設定情報１０６１と合致する場所に現在いるか否かを確認する（ステップＳ４０２）。場所設定情報１０６１と合致しなければ（ステップＳ４０２のＮＯ）、ユーザが予め設定している情報で着信音やバイブレーション等を動作させる（ステップＳ４０４）。
【００４１】
ステップＳ４０２において場所の合致が認められる場合（ステップＳ４０２のＹＥＳ）、設定テーブル１０６の合致した場所のグループ（図２での行単位）の各種設定値を用いて携帯通信端末装置１０の着信動作を設定し動作させる（ステップＳ４０３）。即ち、着信音設定情報１０６２の設定に基づき、スピーカ１１０の鳴動が制御される。更に、バイブレーション設定情報１０６３の設定に基づき、振動装置バイブレータ１１１の振動発生が制御される。更に、背面液晶設定情報１０６４の設定に基づき、表示部１０９の表示が制御される。更に、音声読み上げ設定情報１０６５の設定に基づき、スピーカ１１０からの発声が制御される。
【００４２】
以上の説明で、設定テーブル１０６における「道路／車」の設定グループを、運転手か同乗者の場合で説明したが、これには限定されない。例えば、運転免許を所有するユーザの場合、同乗者にもなり得るので、両方の設定グループを予め登録しておくことも可能である。例えば、「道路／車（運転）」と「道路／車（同乗）」との２つの場所設定情報１０６１を設け、それぞれにユーザ希望の任意の着信動作を設定しておく。ユーザが予めどちらか一方を、優先指定しておき（例えば、「道路／車（運転）」）、携帯通信端末装置１０が、自動車乗車中であることを判別した場合に、優先指定の方を着信動作に設定する。他方の設定を有効にしたい場合は（例えば、同乗する場合）、キー入力部１０１での簡単な操作で優先指定を他方（例えば、「道路／車（同乗）」）に変更出来るようにすれば良い。
【００４３】
又、位置情報取得部１０７をＧＰＳで説明したが、これには特定されず、屋内等であっても高精度の位置情報を取得出来る代替手段でも良い。
【００４４】
尚、本発明は上述の実施形態のみに限定されるものではなく、本発明の要旨を逸脱しない範囲で種々変形して実施することが出来る。
【図面の簡単な説明】
【００４５】
【図１】本発明の一実施形態の構成を示す機能ブロック図である。
【図２】本発明の一実施形態における設定テーブルの一例を示す図である。
【図３】本発明の一実施形態における動作モード設定動作を説明するフローチャートである。
【図４】本発明の一実施形態における着信時の動作を説明するフローチャートである。
【符号の説明】
【００４６】
１０    携帯通信端末装置
１０１    キー入力部
１０２    プロセッサ
１０３    プログラムメモリ
１０４    データメモリ
１０５    地図情報
１０６    設定テーブル
１０７    位置情報取得部
１０８    回線接続部
１０９    表示部
１１０    スピーカ
１１１    バイブレータ
２０    基地局側サービスセンター
２０１    マスター地図情報
１０６１    場所設定情報
１０６２    着信音設定情報
１０６３    バイブレーション設定情報
１０６４    背面液晶設定情報
１０６５    音声読み上げ設定情報
【図１】
2008206017.tif 000003
【図２】
2008206017.tif 000004
【図３】
2008206017.tif 000005
【図４】
2008206017.tif 000006